(57)【特許請求の範囲】
【請求項１】
非通気性の表皮で外装された歯科用治療椅子において、
前記表皮は、前記表皮を一方向に沿って内側に窪ませた筒状部と、前記表皮を内側に窪ませた部分を前記一方向に直交する方向に且つ一定間隔で縫い合わせた縫い合わせ部と、を有し、
前記筒状部に空気を供給して、前記筒状部に供給された空気を前記縫い合わせ部から外部に放出させる空気供給装置と、
前記空気供給装置の動作を制御する空気量制御装置と、
を備えることを特徴とする歯科用治療椅子。
【請求項２】
前記空気供給装置は、加温された空気と冷却された空気とのいずれかを送給する通気機構と、前記通気機構が送給する空気を前記筒状部に供給する空気通路と、前記空気通路が供給する空気の流量を制御する流量制御弁と、を備えることを特徴とする請求項１に記載の歯科用治療椅子。
【請求項３】
前記空気量制御装置は、患者の着座を検出する圧力センサと、患者が接する前記表皮の温度を検出する温度センサと、患者が接する前記表皮の湿度を検出する湿度センサと、前記圧力センサと前記温度センサと前記湿度センサとの検出信号を入力する制御手段と、を備え、
前記制御手段は、前記圧力センサの検出する圧力により患者の着座を検出すると前記空気量制御装置の動作を開始し、
前記制御手段は、前記温度センサの検出する温度と前記湿度センサの検出する湿度とに基づいて前記通気機構及び前記流量制御弁を制御することを特徴とする請求項２に記載の歯科用治療椅子。
【請求項４】
少なくとも消臭効果を奏する香り成分を保持するタンクと、
前記空気通路に連通され、前記香り成分を前記空気通路に供給する通路と、
前記香り成分を前記空気通路に向けて供給、又は供給停止を切り替える混合弁と、
を含む、混合装置を備えることを特徴とする請求項２又は請求項３に記載の歯科用治療椅子。
【発明の詳細な説明】
【技術分野】
【０００１】
この発明は歯科用治療椅子に係り、特に、着座した患者の快適性を向上させることが可能な歯科用治療椅子に関する。
【背景技術】
【０００２】
歯科において治療を行う際には、歯科用治療椅子に患者を着座させ、治療を行う。患者は、治療において椅子に長時間に亘り着座した場合、患者と患者が接する椅子の表皮との間に熱や湿気が溜まり、不快感を抱かせることがある。
そこで、従来の歯科用治療椅子には、通気性を有する表皮で外装されたシートからなる歯科用治療椅子において、シート内に空気を放出する空気流路を備え、シート内に放出された空気を通気性の外装を通して外部に放出することで、患者に爽快感を与えるものがある（特開２００７−２３６８６７号公報）。
また、シートに着座した人の快適性を向上させることを目的とする装置には、シートが通気性を有する表皮で外装され、送風ブロアで生じた空気流をシート吹き出し通路によって人が着座したシートから吹き出させる車両用シートの空調装置がある（特開２０００−１４２０７５号公報）。
【先行技術文献】
【特許文献】
【０００３】
【特許文献１】特開２００７−２３６８６７号公報
【特許文献２】特開２０００−１４２０７５号公報
【発明の概要】
【発明が解決しようとする課題】
【０００４】
ところで、従来の歯科用治療椅子には、前記特許文献１や特許文献２のように、通気性の表皮で外装されておらず、非通気性の表皮で外装されたものがある。
しかし、非通気性の表皮で外装された歯科用治療椅子は、シート内に空気を放出したとしても、空気を表皮からシートの外部に放出することができないため、患者と患者が接する表皮との間に熱や湿気が溜まり、患者に爽快感や快適性を与えることができない問題があった。
【０００５】
また、従来の歯科用治療椅子には、非通気性の表皮で外装され、さらに、表皮を縫い糸で縫い合わせることで、外部に臨む縫い合わせ部と内部に位置する筒状部とを有する縫い目を形成したものがある。
しかし、表皮に縫い目を形成した歯科用治療椅子は、縫い目の縫い合わせ部に埃やごみがたまり易く、かつ掃除し難いため、不衛生となる問題があった。また、表皮に縫い目を形成した歯科用治療椅子は、患者のこぼしたうがい用の水が縫い目の縫い合わせ部に流れこんだ場合、縫い糸の糸目から椅子内部にしみこんで椅子機能に悪影響を与える問題があった。
【０００６】
この発明は、患者と表皮との間の熱や湿気を逃がして患者に爽快感や快適性を与えることができ、表皮の縫い目に埃やごみをたまり難くして衛生状態を保つことができ、縫い目から椅子内部に水がしみこむことを防止して椅子機能に悪影響を与えるおそれを回避することができる歯科用治療椅子を提供することを目的とする。
【課題を解決するための手段】
【０００７】
この発明は、非通気性の表皮で外装された歯科用治療椅子において、前記表皮は、前記表皮を一方向に沿って内側に窪ませた筒状部と、前記表皮を内側に窪ませた部分を前記一方向に直交する方向に且つ一定間隔で縫い合わせた縫い合わせ部と、を有し、前記筒状部に空気を供給して、前記筒状部に供給された空気を前記縫い合わせ部から外部に放出させる空気供給装置と、前記空気供給装置の動作を制御する空気量制御装置と、を備えることを特徴とする。
【発明の効果】
【０００８】
この発明は、患者が着座した状態で非通気性の表皮に形成した縫い目の筒状部に空気を供給して縫い合わせ部から放出させることで、着座した患者と患者が接する表皮との間の通気性を良くすることができる。このため、この発明は、熱や湿気を空気で逃がすことができ、患者に爽快感や快適性を与えることができる。
また、この発明は、縫い目の縫い合わせ部にたまった埃やごみを空気で吹き飛ばすことができるため、縫い目に埃やごみをたまり難くすることができ、衛生状態を保つことができる。さらに、この発明は、患者が水をこぼして縫い目の縫い合わせ部に流れ込んだ場合に、流れ込んだ水を空気で吹き飛ばすことができるため、水が椅子内部にしみこむことを防止でき、椅子機能に悪影響を与えるおそれを回避することができる。
【図面の簡単な説明】
【０００９】
【図１】図１は歯科用治療椅子の断面図である。（実施例）
【図２】図２は歯科用治療椅子の平面図である。（実施例）
【図３】図３は縫い目の拡大平面図である。（実施例）
【図４】図４は縫い目の拡大断面図である。（実施例）
【図５】図５において、（Ａ）は縫い合わせ部が閉じた状態の縫い目の平面図、（Ｂ）は空気により縫い合わせ部が開いた状態の縫い目の平面図である。（実施例）
【図６】図６は空気量制御装置のブロック図である。（実施例）
【図７】図７は変形例を示す縫い目の拡大断面図である。（変形例）
【発明を実施するための形態】
【００１０】
以下図面に基づいて、この発明の実施例を説明する。
【実施例】
【００１１】
図１〜図６は、この発明の実施例を示すものである。図１・図２において、歯科用治療椅子１は、台座２と、台座２に支持腕３で支持された座面シート４と、座面シート４に着座した患者の背部を支持するバックレスト５と、患者の頭部を支持するヘッドレスト６と、患者の脚部を支持するレッグレスト７と、からなる。歯科用治療椅子１は、治療の際に、座面シート４に対してバックレスト５及びヘッドレスト６とレッグレスト７とを傾けて、患者を治療し易い姿勢にすることができる。
歯科用治療椅子１は、座面シート４、バックレスト５、ヘッドレスト６、レッグレスト７の患者が接する表側を、非通気性の表皮８、９、１０、１１によりそれぞれ外装している。座面シート４、バックレスト５、ヘッドレスト６、レッグレスト７の裏側は、非通気性のカバー１２、１３、１４、１５によりそれぞれ外装されている。
座面シート４の表皮８とカバー１２との間、バックレスト５の表皮９とカバー１３との間、ヘッドレスト６の表皮１０とカバー１４との間、レッグレスト７の表皮１１とカバー１５との間には、それぞれクッション１６、１７、１８、１９が内装されている。
座面シート４の表皮８、バックレスト５の表皮９、ヘッドレスト６の表皮１０、レッグレスト７の表皮１１には、それぞれ複数の縫い目２０、２１、２２、２３を形成している。縫い目２０〜２３は、表皮８〜１１を内側に窪ませた部分を縫い糸２４〜２７で縫い合わせることで、図３に示すように表皮８〜１１の外部に臨む線状の縫い合わせ部２８〜３１と、図４に示すように表皮８〜１１よりも内部に位置する筒状部３２〜３５と、を有する形状に形成されている。
【００１２】
歯科用治療椅子１は、縫い目２０〜２３の筒状部３２〜３５に空気を供給する空気供給装置３６を備える。空気供給装置３６は、通気機構３７と空気通路３８〜４１と流量制御弁４２〜４５とを備える。
通気機構３７は、加温された空気を発生する加温部４６と、冷却された空気を発生する冷却部４７と、加温部４６及び冷却部４７で発生された空気を送給する送風部４８と、通気路４９とから構成される。通気機構３７は、加温部４６で加温された空気と冷却部４７で冷却された空気とのいずれかを送風部４８で通気路４９に送給する。
空気通路３８〜４１は、上流側をそれぞれ流量制御弁４２〜４５を介して通気機構３７の通気路４９に接続している。空気通路３８〜４１は、下流側を縫い目２０〜２３の筒状部３２〜３５にそれぞれ接続している。空気通路３８〜４１は、通気機構３７が送給する空気を縫い目２０〜２３の筒状部３２〜３５に供給する。
縫い目２０〜２３は、図５（Ａ）に示すように、筒状部３２〜３５に空気が供給されていない状態において、縫い合わせ部２８〜３１が閉じられている。縫い目２０〜２３は、図５（Ｂ）に示すように、筒状部３２〜３５に空気が供給されると、縫い糸２４〜２７の間の縫い合わせ部２８〜３１が空気の圧力により開かれ、空気を外部に放出する。
流量制御弁４２〜４５は、空気通路３８〜４１と通気路４９との接続部分に配置されている。流量制御弁４２〜４５は、空気通路３８〜４１が縫い目２０〜２３の筒状部３２〜３５にそれぞれ供給する空気の流量を制御する。
【００１３】
歯科用治療椅子１は、香り混合装置５０を備える。香り混合装置５０は、香りタンク５１と香り通路５２と香り混合弁５３とを有している。
香りタンク５１には、消臭効果や癒やし効果を奏する香り成分が貯められている。香り通路５２は、上流側を香りタンク５１に接続し、下流側を通気機構３７の通気路４９に接続している。香り混合弁５３は、香り通路５２に配置されている。香り混合弁５３は、通気路４９を流れる加温された空気または冷却された空気に混合される香り成分の供給・停止を制御する。
【００１４】
歯科用治療椅子１は、空気供給装置３６、香り混合装置５０の動作を制御する空気量制御装置５４を備える。
空気量制御装置５４は、患者の着座を検出する圧力センサ５５と、患者が接する座面シート４の表皮８の温度を検出する温度センサ５６と、患者が接するバックレスト５の表皮９の温度を検出する温度センサ５７と、患者が接する座面シート４の表皮８の湿度を検出する湿度センサ５８と、患者が接するバックレスト５の表皮９の湿度を検出する湿度センサ５９と、圧力センサ５５と温度センサ５６・５７と湿度センサ５８・５９との検出信号を入力する制御手段６０と、を備える。
圧力センサ５５は、座面シート４の表皮８に配置している。温度センサ５６・５７と湿度センサ５８・５９とは、温度センサ５６と湿度センサ５８とを一組とし、温度センサ５７と湿度センサ５９とを他の一組として組み合わせて、これら各組を座面シート４の表皮８とバックレスト５の表皮９とにそれぞれ配置している。
図６に示すように、圧力センサ５５と温度センサ５６・５７と湿度センサ５８・５９とは、制御手段６０の入力側に接続される。制御手段６０の出力側には、空気供給装置３６の流量制御弁４２〜４５、加温部４６、冷却部４７、送風部４８が接続され、香り混合装置５０の香り混合弁５３が接続される。また、制御手段６０の入力側には、空気供給装置３６の動作を設定する切替スイッチ６１が接続され、香り混合装置５０の動作を設定する香りスイッチ６２が接続される。
切替スイッチ６１は、空気供給装置３６の動作を、加温された空気を供給する「暖」と、冷却された空気を供給する「冷」と、加温された空気または冷却された空気を選択的に供給する「自動」と、のいずれかに設定する。香りスイッチ６２は、香り混合装置５０の香り混合弁５３の動作を、香り成分の供給を行う「ＯＮ」と、香り成分の供給を停止する「ＯＦＦ」と、のいずれかに設定する。
【００１５】
制御手段６０は、スイッチ判断部６３と圧力判断部６４と温度判断部６５と湿度判断部６６と自動制御判断部６７とを備える。
スイッチ判断部６３は、切替スイッチ６１と香りスイッチ６２とが、どのような設定に操作されているかを判断する。圧力判断部６４は、圧力センサ５５の検出する圧力が、患者の着座を示す値であるかを判断する。
温度判断部６５は、温度センサ５６・５７の検出する温度が、加温部４６及び冷却部４７を駆動（ＯＮ）する値であるか、停止（ＯＦＦ）する値であるかを判断する。
湿度判断部６６は、湿度センサ５８・５９の検出する湿度が、加温部４６及び冷却部４７を駆動（ＯＮ）する値であるか、停止（ＯＦＦ）する値であるかを判断する。また、湿度判断部６６は、湿度センサ５８・５９の検出する湿度が、送風部４８の送風量を設定するためのどのような値であるかを判断する。
自動制御判断部６７は、切替スイッチ６１の設定が「自動」である場合に、温度センサ５６・５７の検出する温度、湿度センサ５８・５９の検出する湿度に基づいて、空気供給装置３６の流量制御弁４２〜４５、加温部４６、冷却部４７、送風部４８をどのように動作させるかを判断する。
【００１６】
空気量制御装置５４は、制御手段６０によって、切替スイッチ６１の設定に従い、圧力センサ５５と温度センサ５６・５７と湿度センサ５８・５９との検出する値に基づいて、患者が歯科用治療椅子１に着座した状態で、空気供給装置３６の通気機構３７が送給する加温された空気または冷却された空気を、歯科用治療椅子１の縫い目２０〜２３の筒状部３２〜３５に供給して縫い合わせ部２８〜３１から放出させるように、流量制御弁４２〜４５の動作を制御する。
また、空気量制御装置５４は、制御手段６０によって、香りスイッチ６２の設定に従い、患者が歯科用治療椅子１に着座した状態で、香り混合装置５０の香りタンク５１に貯められた香り成分を、通気路４９を流れる加温された空気または冷却された空気に混合して縫い合わせ部２８〜３１から放出させるように、香り混合弁５３の動作を制御する。
【００１７】
空気量制御装置５４による空気量の制御においては、以下のように空気供給装置３６、香り混合装置５０を制御する。
空気量制御装置５４は、圧力判断部６４により圧力センサ５５の検出する圧力を判断し、圧力センサ５５の検出する圧力の値により歯科用治療椅子１に患者が着座したことを検知すると、空気供給装置３６、香り混合装置５０の動作を開始する。
【００１８】
空気量制御装置５４は、スイッチ判断部６３により切替スイッチ６１の設定を判断し、切替スイッチ６１が「暖」に設定されている場合は、流量制御弁４２〜４５と加温部４６と送風部４８とを動作させる。
空気供給装置３６は、加温部４６と送風部４８とにより加温された空気を送給し、流量制御弁４２〜４５により空気の流量を制御し、空気通路３８〜４１により歯科用治療椅子１の縫い目２０〜２３の筒状部３２〜３５に供給する。筒状部３２〜３５に供給された加温された空気は、図５（Ｂ）に示すように、空気の圧力により縫い糸２４〜２７の間の縫い合わせ部２８〜３１を開いて、開いた部分から外部に放出される。
なお、空気量制御装置５４は、温度センサ５６・５７の検出する値、及び湿度センサ５８・５９の検出する値に基づいて、流量制御弁４２〜４５と加温部４６と送風部４８とを動作させることで、縫い合わせ部２８〜３１の開いた部分から放出される加温された空気の温度・流量を制御することができる。
【００１９】
空気量制御装置５４は、スイッチ判断部６３により切替スイッチ６１の設定を判断し、切替スイッチ６１が「冷」に設定されている場合は、空気供給装置３６の流量制御弁４２〜４５と冷却部４７と送風部４８とを動作させる。
空気供給装置３６は、冷却部４７と送風部４８とにより冷却された空気を送給し、流量制御弁４２〜４５により空気の流量を制御し、空気通路３８〜４１により歯科用治療椅子１の縫い目２０〜２３の筒状部３２〜３５に供給する。筒状部３２〜３５に供給された冷却された空気は、図５（Ｂ）に示すように、空気の圧力により縫い糸２４〜２７の間の縫い合わせ部２８〜３１を開いて、開いた部分から外部に放出される。
なお、空気量制御装置５４は、温度センサ５６・５７の検出する値、及び湿度センサ５８・５９の検出する値に基づいて、流量制御弁４２〜４５と冷却部４７と送風部４８とを動作させることで、縫い合わせ部２８〜３１の開いた部分から放出される冷却された空気の温度・流量を制御することができる。
【００２０】
空気量制御装置５４は、スイッチ判断部６３により切替スイッチ６１の設定を判断し、切替スイッチ６１が「自動」に設定されている場合は、流量制御弁４２〜４５と加温部４６と冷却部４７と送風部４８とを動作させる。
空気供給装置３６は、加温部４６と送風部４８とにより加温された空気または冷却部４７と送風部４８とにより冷却された空気を選択的に送給し、流量制御弁４２〜４５により空気の流量を制御し、空気通路３８〜４１により歯科用治療椅子１の縫い目２０〜２３の筒状部３２〜３５に供給する。筒状部３２〜３５に供給された加温された空気または冷却された空気は、図５（Ｂ）に示すように、空気の圧力により縫い糸２４〜２７の間の縫い合わせ部２８〜３１を開いて、開いた部分から外部に放出される。
このとき、空気量制御装置５４は、切替スイッチ６１が「自動」に設定されているので、温度センサ５６・５７の検出する値、及び湿度センサ５８・５９の検出する値に基づいて、縫い目２０〜２３の縫い合わせ部２８〜３１から放出される加温された空気または冷却された空気の温度・流量が目標値となるように、流量制御弁４２〜４５と加温部４６と冷却部４７と送風部４８との動作をフィードバック制御する。
【００２１】
空気量制御装置５４は、切替スイッチ６１が「自動」に設定されている場合、温度センサ５６・５７の検出する値、及び湿度センサ５８・５９の検出する値に基づいて、加温された空気または冷却された空気の温度・流量が目標値となるように、空気供給装置３６を以下のように動作させる。
【００２２】
１．温度センサ５６・５７の検出する温度
１）．温度が１５℃以下の場合は、空気を暖めるために加温部４６を動作（ＯＮ）させ        る。加温部４６の動作は、空気の温度が３０℃を超えないように制御する。
２）．温度が２５℃以上の場合は、空気を冷やすために冷却部４７を動作（ＯＮ）させ        る。冷却部４７の動作は、空気の温度が１５℃より下がらないように制御する。
３）．温度が１６〜２４℃の範囲では、加温部４６および冷却部４７の動作を停止（Ｏ        ＦＦ）する。
【００２３】
２．湿度センサ５８・５９の検出する湿度
１）．湿度が６０％以上の場合は、送風量を最大にするように送風部４８を動作（ＯＮ        ）させる。
２）．湿度が６０％未満の場合は、湿度低下に応じて送風量を下げるように送風部４８        を動作（ＯＮ）させる。
【００２４】
空気量制御装置５４は、スイッチ判断部６３により切替スイッチ６１の設定を判断し、香りスイッチ６２が「ＯＮ」に設定されている場合は、香り混合弁５３を動作（ＯＮ）させる。
香り混合装置５０は、香り混合弁５３の動作（ＯＮ）によって、香りタンク５１に貯められた香り成分を通気路４９に供給し、加温された空気または冷却された空気に混合する。香り成分を含む加温された空気または香り成分を含む冷却された空気は、空気通路３８〜４１により歯科用治療椅子１の縫い目２０〜２３の縫い合わせ部２８〜３１から放出される。
【００２５】
このように、歯科用治療椅子１は、患者が着座した状態で非通気性の表皮８〜１１に形成した縫い目２０〜２３の筒状部３２〜３５に空気供給装置３６により空気を供給し、縫い合わせ部２８〜３１を開いて放出させることで、着座した患者と患者が接する表皮８〜１１との間の通気性を良くすることができる。このため、歯科用治療椅子１は、熱や湿気を空気で逃がすことができ、患者に爽快感や快適性を与えることができる。
また、歯科用治療椅子１は、縫い目２０〜２３の縫い合わせ部２８〜３１にたまった埃やごみを放出される空気で吹き飛ばすことができるため、縫い目２０〜２３の縫い合わせ部２８〜３１に埃やごみをたまり難くすることができ、衛生状態を保つことができる。さらに、歯科用治療椅子１は、患者が水をこぼして縫い目２０〜２３の縫い合わせ部２８〜３１に流れ込んだ場合に、流れ込んだ水を放出される空気で吹き飛ばすことができるため、水が糸目から椅子内部にしみこむことを防止でき、椅子機能に悪影響を与えるおそれを回避することができる。
さらに、歯科用治療椅子１は、香り混合装置５０により香り成分を加温された空気または冷却された空気に混合し、香り成分を含む加温された空気または香り成分を含む冷却された空気を縫い目２０〜２３の縫い合わせ部２８〜３１から放出させることで、悪臭の消去や患者の癒やしを行うことができるため、患者にさらなる爽快感や快適性を与えることができる。
【００２６】
なお、上述実施例においては、図４にように、縫い合わせ部２８〜２３を表皮８〜１１から内部に浅く位置させて形成した縫い目２０〜２３を例示したが、図７に示すように、縫い合わせ部２８〜２３を表皮８〜１１から内部に深く位置させて形成した縫い目２０〜２３とすることも可能である。
図７に示す縫い目２０〜２３は、縫い合わせ部２８〜３１を表皮８〜１１から内部の深く位置させたことで、縫い合わせ部２８〜３１の外側にテーパ状に広がる形状の空間部６８〜７１を有している。筒状部３２〜３５に供給された空気は、図５（Ｂ）に示すように、空気の圧力により縫い糸２４〜２７の間の縫い合わせ部２８〜３１を開いて、縫い合わせ部２８〜３１外側の空間部６８〜７１により広げられて外部に放出される。
これにより、図７に示す縫い目２０〜２３を形成した歯科用治療椅子１においては、上述実施例に示す効果に加えて、テーパ状に広がる形状の空間部６８〜７１によって空気を外部に広げて放出させることができるので、さらに通気性を良くして患者に爽快感や快適性を与えることができる。
【産業上の利用可能性】
【００２７】
この発明は、歯科用治療椅子に着座した患者に爽快感や快適性を与えることができ、歯科用治療椅子の衛生状態を保つことができ、歯科用治療椅子の椅子機能に悪影響を与えるおそれを回避することができるものであり、歯科用治療椅子にかぎらず、人が着座する椅子について応用することができる。
【符号の説明】
【００２８】
１  歯科用治療椅子
４  座面シート
５  バックレスト
６  ヘッドレスト
７  レッグレスト
８〜１１  表皮
１２〜１５  カバー
１６〜１９  クッション
２０〜２３  縫い目
２８〜３１  縫い合わせ部
３２〜３５  筒状部
３６  空気供給装置
３７  通気機構
３８〜４１  空気通路
４２〜４５  流量制御弁
４６  加温部
４７  冷却部
４８  送風部
４９  通気路
５０  香り混合装置
５１  香りタンク
５２  香り通路
５３  香り混合弁
５４  空気量制御装置
５５  圧力センサ
５６・５７  温度センサ
５８・５９  湿度センサ
６０  制御手段
６１  切替スイッチ
６２  香りスイッチ
６３  スイッチ判断部
６４  圧力判断部
６５  温度判断部
６６  湿度判断部
６７  自動制御判断部
【図１】
0006692648.tif 000002
【図２】
0006692648.tif 000003
【図３】
0006692648.tif 000004
【図４】
0006692648.tif 000005
【図５】
0006692648.tif 000006
【図６】
0006692648.tif 000007
【図７】
0006692648.tif 000008